(57)【要約】【課題】  省電力動作モードから通常動作モードに迅速に復帰可能な電子機器および該電子機器にて実行される動作モード制御方法を提供する。【解決手段】  マウス８の動作モードが省電力モードである状態にて、マイコン８０が加速度センサ８１から出力される加速度値を検出することでマウス８の動きを検出すると、マウス８の動作モードは省電力モードから通常動作モードに移行される。さらにマウス８とコンピュータ１とは無線通信を開始し、マウス８からコンピュータ１にマウス８の動作モードが通常動作モードであることを示すデータが送信される。【選択図】  図４
2007102370.tif 000002
【特許請求の範囲】
【請求項１】
外部電子機器と無線通信可能であり、動作モードとして少なくとも第１の動作モードおよび前記第１の動作モード時の消費電力量よりも少ない消費電力量である第２の動作モードを具備する電子機器において、
本体と、
前記本体の動きを検出する検出部と、
前記検出部によって検出された前記本体の動きに関する情報に基づいて、前記動作モードを前記第２の動作モードから前記第１の動作モードに移行させる動作モード移行手段と、
前記検出部によって検出された前記本体の動きに関する情報に基づいて、前記外部電子機器と無線通信を開始する無線通信手段と、
を具備することを特徴とする電子機器。
【請求項２】
前記無線通信手段は、前記外部電子機器と無線通信を開始した後、前記外部電子機器に前記動作モードが前記第１の動作モードであることを示すデータを送信する手段を含むことを特徴とする請求項１記載の情報処理装置。
【請求項３】
所定の時間に亘って前記本体が動かされない場合、前記動作モード移行手段は、前記動作モードを前記第１の動作モードから前記第２の動作モードに移行させる手段を含み、
前記所定の時間に亘って前記本体が動かされない場合、前記無線通信手段は、前記外部電子機器との無線通信を終了する手段を含むことを特徴とする請求項１記載の電子機器。
【請求項４】
前記無線通信手段は、前記外部電子機器との無線通信を終了する場合、前記外部電子機器に本電子機器の動作モードが前記第２の動作モードであることを示すデータを送信する手段を含むことを特徴とする請求項３記載の電子機器。
【請求項５】
外部電子機器と無線通信可能であり、動作モードとして少なくとも第１の動作モードおよび前記第１の動作モード時の消費電力量よりも少ない消費電力量である第２の動作モードを具備する電子機器にて実行される動作モード制御方法において、
前記電子機器の動きを検出し、
前記検出された前記電子機器の動きに関する情報に基づいて、前記動作モードを前記第２の動作モードから前記第１の動作モードに移行させ、
前記検出された前記電子機器の動きに関する情報に基づいて、前記外部電子機器と無線通信を開始することを特徴とする動作モード制御方法。
【請求項６】
前記外部電子機器と無線通信を開始した後、前記外部電子機器に前記動作モードが前記第１の動作モードであることを示すデータを送信することを特徴とする請求項５記載の動作モード制御方法。
【請求項７】
所定の時間に亘って前記電子機器が動かされない場合、前記動作モードを前記第１の動作モードから前記第２の動作モードに移行させ、
所定の時間に亘って前記電子機器が動かされない場合、前記外部電子機器との無線通信を終了することを特徴とする請求項６記載の動作モード制御方法。
【請求項８】
前記外部電子機器との無線通信を終了する場合、前記外部電子機器に前記動作モードが前記第２の動作モードであることを示すデータを送信することを特徴とする請求項７記載の動作モード制御方法。
【請求項９】
動作モードとして少なくとも第１の動作モードおよび前記第１の動作モード時の消費電力量よりも少ない消費電力量である第２の動作モードを具備する電子機器と前記電子機器と無線通信可能な第２の電子機器とからなる電子機器システムにおいて、
前記電子機器は、
前記本体の動きを検出する検出部と、
前記検出部によって検出された前記本体の動きに関する情報に基づいて、前記動作モードを前記第２の動作モードから前記第１の動作モードに移行させる動作モード移行手段と、
前記検出部によって検出された前記本体の動きに関する情報に基づいて前記第２の電子機器と無線通信を開始した後、前記第２の電子機器に前記動作モードが前記第１の動作モードであることを示すデータを送信する無線通信手段とを具備し、
前記第２の電子機器は、
前記電子機器から送信された前記電子機器の動作モード情報に基づいて、前記電子機器の動作モードを認識する手段を具備することを特徴とする電子機器システム。
【請求項１０】
前記動作モード移行手段は、所定の時間に亘って前記本体が動かされない場合、前記動作モードを前記第１の動作モードから前記第２の動作モードに移行させる手段を含み、前記無線通信手段は、所定の時間に亘って前記本体が動かされない場合、前記外部電子機器との無線通信を終了する手段を含むことを特徴とする請求項９記載の電子機器システム。
【発明の詳細な説明】
【技術分野】
【０００１】
本発明は、電子機器に関し、特に、複数の動作モードを取りうる電子機器に関する。
【背景技術】
【０００２】
近年、無線技術開発が進むに伴い、情報処理装置の周辺機器にも無線技術が搭載され始めている。例えば、情報処理装置にデータをインプットする際に使用されるマウス、キーボード等に無線通信機能を搭載されている。
【０００３】
無線通信機能が搭載されている周辺機器では、情報処理装置とワイヤーで接続されていないので、情報処理装置側から電力の供給を受けることができない。従って、このような周辺機器には充放電可能なバッテリが搭載されている。周辺機器のバッテリ駆動時間を長くするために、周辺機器は自機が使用されていないと判別すると、周辺機器が消費する電力を低減させる消費電力制御を行う（特許文献１参照。）。
【特許文献１】特開２００３−３４５４７６号公報（第１０頁、第４図）
【発明の開示】
【発明が解決しようとする課題】
【０００４】
消費電力を低減させる消費電力制御中の機器をユーザが再び使い始めたい場合、機器の状態が、消費電力を低減させる消費電力制御がなされている状態からなされていない状態に迅速に移行することが好ましい。
【０００５】
そこで、本発明は、省電力動作モードから通常動作モードに迅速に復帰可能な電子機器、該電子機器にて実行される動作モード制御方法および電子機器システムを提供することを目的とする。
【課題を解決するための手段】
【０００６】
上記目的を達成するために、請求項１に係わる電子機器は、外部電子機器と無線通信可能であり、動作モードとして少なくとも第１の動作モードおよび前記第１の動作モード時の消費電力量よりも少ない消費電力量である第２の動作モードを具備する電子機器において、本体と、前記本体の動きを検出する検出部と、前記検出部によって検出された前記本体の動きに関する情報に基づいて、前記動作モードを前記第２の動作モードから前記第１の動作モードに移行させる動作モード移行手段と、前記検出部によって検出された前記本体の動きに関する情報に基づいて、前記外部電子機器と無線通信を開始する無線通信手段と、を具備することを特徴とする。
【０００７】
また、請求項５に係わる動作モード制御方法は、外部電子機器と無線通信可能であり、動作モードとして少なくとも第１の動作モードおよび前記第１の動作モード時の消費電力量よりも少ない消費電力量である第２の動作モードを具備する電子機器にて実行される動作モード制御方法において、前記電子機器の動きを検出し、前記検出された前記電子機器の動きに関する情報に基づいて、前記動作モードを前記第２の動作モードから前記第１の動作モードに移行させ、前記検出された前記電子機器の動きに関する情報に基づいて、前記外部電子機器と無線通信を開始することを特徴とする。
【０００８】
また、請求項９に係わる電子機器システムは、動作モードとして少なくとも第１の動作モードおよび前記第１の動作モード時の消費電力量よりも少ない消費電力量である第２の動作モードを具備する電子機器と前記電子機器と無線通信可能な第２の電子機器とからなる電子機器システムにおいて、前記電子機器は、前記本体の動きを検出する検出部と、前記検出部によって検出された前記本体の動きに関する情報に基づいて、前記動作モードを前記第２の動作モードから前記第１の動作モードに移行させる動作モード移行手段と、前記検出部によって検出された前記本体の動きに関する情報に基づいて前記第２の電子機器と無線通信を開始した後、前記第２の電子機器に前記動作モードが前記第１の動作モードであることを示すデータを送信する無線通信手段とを具備し、前記第２の電子機器は、前記電子機器から送信された前記電子機器の動作モード情報に基づいて、前記電子機器の動作モードを認識する手段を具備することを特徴とする。
【発明の効果】
【０００９】
本発明によれば、省電力動作モードから通常動作モードに迅速に復帰可能な電子機器、該電子機器にて実行される動作モード制御方法および電子機器システムを提供することが可能となる。
【発明を実施するための最良の形態】
【００１０】
図１はノートブック型パーソナルコンピュータ（以下、コンピュータと称す。）１とマウス８との関係を示す斜視図である。
【００１１】
コンピュータ１は本体２とディスプレイユニット３とから構成される。ディスプレイユニット３には、ＬＣＤ（Liquid Crystal Display）４を有する表示装置が組み込まれており、ＬＣＤ４はディスプレイユニット３のほぼ中央に位置される。
【００１２】
ディスプレイユニット３は、本体２に対して開放位置と閉塞位置との間を回動自在に取り付けられる。本体２は略箱形の形状を有しており、本体２の上面にはキーボード５、コンピュータ１の電源オン／オフするためのパワーボタン６等が配置される。パワーボタン６はコンピュータ１を使用開始する際、押し下げ操作される。
【００１３】
本体２の例えば背面部にはＡＣアダプタ７を接続するためのケーブルが接続されるコネクタが設けられる。ＡＣアダプタ７は商用電源といった外部電源に接続されており、ＡＣアダプタ７はコンピュータ１に電源を供給する。
【００１４】
電子機器であるマウス８は、ユーザがＬＣＤ４に表示されるグラフィックユーザインターフェースを介してコンピュータ１を制御する際に使用される。例えば、グラフィックユーザインターフェースとしてＬＣＤ４に表示されるマウスカーソル等を移動操作する場合に、ユーザはマウス８を移動操作する。また、マウス８はコンピュータ１と例えばBluetooth規格に基づく無線通信を行うことが可能である。次に、コンピュータ１の構成について説明する。
【００１５】
図２はコンピュータ１の構成の一例を示す図である。
【００１６】
ホストハブ（第１のブリッジ回路）１１には、ＣＰＵ１０、メインメモリ１３、グラフィックスコントローラ１５およびＩ／Ｏ（Input/Output）ハブ２０が接続されている。
【００１７】
ホストハブ１１はシステムバス１２を介してＣＰＵ１０と接続される。ホストハブ１１はメインメモリ１３へのアクセスを制御するメモリコントローラを内蔵する。
【００１８】
ＣＰＵ１０はコンピュータ１のシステムを制御するメインプロセッサである。ＣＰＵ１０は外部記憶装置であるＨＤＤ２１からメモリバス１４を介してメインメモリ１３にロードされる、オペレーティングシステム（ＯＳ）１３ｂ、アプリケーションプログラム、ユーティリティプログラムを実行する。
【００１９】
また、ＣＰＵ１０はＢＩＯＳ−ＲＯＭ２７からメインメモリ２３にロードされたＳｙｓｔｅｍ  ＢＩＯＳ（Basic Input Output System）１３ａを実行する。
【００２０】
ホストハブ１１にＡＧＰ（Accelerated Graphics Port）バス１６を介して接続されるグラフィクスコントローラ１５はＬＣＤ４にデジタル表示信号を出力する。グラフィクスコントローラ１５にはビデオメモリ（ＶＲＡＭ）１７が接続されており、グラフィックスコントローラ１５はＯＳ／アプリケーションプログラムによってビデオメモリ１７に描画されたデータをＬＣＤ４に表示する。
【００２１】
ホストハブ１１と例えばハブインターフェイスといった専用バスで接続されるＩ／Ｏハブ（第二のブリッジ回路）２０は、ＬＰＣ（Low pin count）バス２６上の各デバイスを制御する。
【００２２】
Ｉ／Ｏハブ２０は、シリアルＡＴＡ規格をサポートするシリアルＡＴＡバス２１ａを介して外部記憶装置でありシリアルＡＴＡ規格をサポートするＨＤＤ２１と接続される。
【００２３】
ＨＤＤ（磁気ディスクデバイス）２１は磁気ディスクデバイスである。ＨＤＤ２１にはオペレーティングシステム（ＯＳ）１３ｂ、アプリケーションプログラム、ユーティリティプログラムおよびアプリケーションプログラムを使用することで生成されたデータ等が記憶される。
【００２４】
また、Ｉ／Ｏハブ２０には、ＬＡＮコントローラ２４、オーディオコーディック２３、ＢＩＯＳ-ＲＯＭ２７、ＣＭＯＳ２９および無線デバイス３２が接続される。
【００２５】
ＬＡＮコントローラ２４は通信コントローラであり、ＭＡＣ（Media Access Controller）と物理層（ＰＨＹ）トランシーバが実装される。ＬＡＮコントローラ２４は所定の通信プロトコルに従って他の通信装置と通信を行い、通信速度の異なる複数の通信モードで通信を行うことが可能である。
【００２６】
ＬＡＮコントローラ２４にはＬＡＮコネクタ２４ａが接続される。ＬＡＮコネクタ２４ａの一例として、絶縁用トランスフォーマで構成されるＲＪ−４５コネクタ等が挙げられる。
【００２７】
オーディオコーディック２３はＩ／Ｏハブ２０とＡＣ（Audio Codec）９７（２２）を介して接続される。オーディオコーディック２３は、サウンド入出用のコーディックの一種である。オーディオコーディック２３は、入出力されるサウンドのコーディック部等を有する。
【００２８】
オーディオコーディック２３にはＡＭＰ２５ａが接続される。ＡＭＰ２５ａはオーディオコーディック２３にて生成されたサウンド信号を増幅する。ＡＭＰ２５ａによって増幅されたサウンド信号はスピーカに送出され、スピーカは可聴周波数帯の音波を出力する。
【００２９】
ＢＩＯＳ−ＲＯＭ２７はＳｙｓｔｅｍ  ＢＩＯＳ１３ａ等を記憶する記憶媒体である。ＢＩＯＳ−ＲＯＭ２７として使用される記憶媒体は、プログラムの書き換えが可能である記憶媒体、例えばフラッシュメモリ等である。
【００３０】
Ｓｙｓｔｅｍ  ＢＩＯＳ１３ａは各種ハードウェアにアクセスするためのファンクション実行ルーチンを体系化したプログラムである。Ｓｙｓｔｅｍ  ＢＩＯＳ１３ａには、システムに対するパワーオン時に各種デバイスの初期化及びテストを行うＩＲＴルーチンと、各種ハードウェアを制御するためのドライバ群が含まれる。
【００３１】
ＣＭＯＳ（complementary metal-oxide semiconductor）２９にはＲＴＣ（Real Time Clock）２９ａが内蔵される。ＲＴＣ２９ａは日時をカウントするモジュールであり、システム電源オフ状態時においても内蔵電池から供給される電源を用いて動作する。
【００３２】
ＣＭＯＳ２９には、ＢＩＯＳのＳｅｔｕｐ画面にて指定された設定内容等が記憶される。
【００３３】
Ｉ／Ｏハブ２０にはＰＣＩバスを介して無線デバイス３２が接続される。
【００３４】
無線デバイス３２は、例えばBluetooth規格に対応する無線通信デバイスであり、２．４ＧＨｚ帯等の周波数帯域を用いて無線通信を実行する。
【００３５】
ＬＰＣバス２６上にはエンベデッドコントローラ／キーボードコントローラＩＣ（ＥＣ／ＫＢＣ）２３が接続される。
【００３６】
エンベデッドコントローラ／キーボードコントローラＩＣ（ＥＣ／ＫＢＣ）２８は、電力管理等を行うためのエンベデッドコントローラと、キーボード（ＫＢ）ユニット５を制御するためのキーボードコントローラとが集積された１チップマイクロコンピュータである。
【００３７】
ＥＣ／ＫＢＣ２８にはキーボード５とパワーボタン６とＰＳＣ（Power Supply Controller）３０とが接続される。
【００３８】
ＥＣ／ＫＢＣ２８は、ＰＳＣ３０と共同してシステム電源のオン／オフ等を制御する電源シーケンス制御機能、および電源ステータス通知機能等を有する
【００３９】
電源ステータス通知機能とは、ＰＳＣ３０と共同してレジューム処理ルーチンの開始要因となるウェイクアップイベントの発生を監視し、ウェイクアップイベント発生時にシステム管理割り込みＳＭＩ（System Management Interrupt）を用いてＳｙｓｔｅｍ  ＢＩＯＳ１３ａにイベントが発生した旨を通知する機能である。
【００４０】
ＰＳＣ３０はＡＣアダプタ７または二次電池３１から供給される電力をコンピュータ１内の各モジュールに供給する。二次電池３１は交換可能に設けられる。ＡＣアダプタ７からコンピュータ１に電源が供給されている場合、ＡＣアダプタ７から供給される電力は、ＰＳＣ３０を介して二次電池３１に蓄積される。
【００４１】
ユーザがパワーボタン６を操作すると、ＥＣ／ＫＢＣ２８はパワーボタン６が操作されたことを検出する。ＥＣ／ＫＢＣ２８は、パワーボタン６が操作されたことを検出すると、例えば本コンピュータ１のシステムに対して電源供給を開始するようにＰＳＣ３０に通知する。ＰＳＣ３０はＥＣ／ＫＢＣ２８からの通知に基いて、ＡＣアダプタ７または二次電池３１からコンピュータ１のシステムに対して電源供給を開始するように制御する。
【００４２】
また、ＥＣ／ＫＢＣ２８はシステムの電流量を監視し、例えばチップセットを介してＣＰＵ１０にストップクロック信号（ＳＴＰＣＬＫ）を与えることによりＣＰＵ１０のスロットリング制御を行なう。次に、コンピュータ１と無線通信可能なマウス８の構成について説明する。
【００４３】
図３は、マウス８のハードウェア構成の一例について説明する図である。
【００４４】
マウス８はマイコン８０、加速度センサ８１、無線通信部８２、操作検出部８３および電源部８４を有する。
【００４５】
マイコン８０はマウス８の諸動作を制御する。マイコン８０には加速度センサ８１、無線通信部８２、操作検出部８３および電源部８４が接続される。
【００４６】
マイコン８０はレジスタ８０ａを有する。後述にて詳細に説明するが、レジスタ８０ａには例えばマウス８の動作モードが設定される。マウス８の動作モードとは、マウス８の消費電力量によって規定されるモードである。
【００４７】
マイコン８０に接続される加速度センサ８１として、例えば（Ｘ、Ｙ、Ｚ）軸方向、夫々の加速度を検出することが可能な３次元加速度センサ等が考えられる。加速度センサ８１は、ユーザがマウス８を動かすことで生じるマウス８の動きを加速度値として検出する。マイコン８０は加速度センサ８１によって検出された加速度値を取得する。マイコン８０は加速度センサ８１によって検出された加速度値に基づいて、マウス８が動かされたのか否かを判別する。
【００４８】
マイコン８０に接続される無線通信部８２は、マイコン８０による制御下にて無線通信を実行する。無線通信部８２は図２を用いて説明したコンピュータ１の無線デバイス３２と無線通信を行う。
【００４９】
マイコン８０に接続される操作検出部８３はマウス８の移動量を検出する。マイコン８０は操作検出部８３によって検出された移動量を取得する。マイコン８０は取得したマウス８の移動量を、無線通信部８２を制御することでコンピュータ１に伝送する。コンピュータ１はマウス８から伝送されてきたマウス８の移動量を用いて、例えばＬＣＤ４に表示されるマウスカーソルを移動制御する。
【００５０】
マイコン８０に接続される電源部８４はマウス８内の各モジュールに供給される電力の供給源である。電源部８４として例えば二次電池が考えられる。
【００５１】
マイコン８０はマウス８内の各部に対する電力供給制御を一元管理するものである。マイコン８０は電源部８４から供給される電力を各モジュールが必要とする電圧に変換する。
【００５２】
マイコン８０は所定の期間に亘って加速度センサ８１によって検出される加速度値を取得しない場合、マウス８が動かされていないと判別する。
【００５３】
マイコン８０はマウス８が動かされていないと判別すると、マウス８にて消費される電力量を低減させるために、マウス８内の各モジュールの中で電力を要しないモジュールへの電力供給を停止させる。このときのマウス８の動作モードのことを省電力モード（第２の動作モード）と称す。
【００５４】
さらに、マイコン８０は、マウス８の動作モードが省電力モードであることを示すフラグをレジスタ８０ａに立てる。
【００５５】
一方、マウス８の動作モードが省電力モードであるときに、マイコン８０が加速度センサ８１によって検出される加速度値を取得した場合、マイコン８０はマウス８が動かされたと判別する。
【００５６】
マイコン８０はマウス８が動かされたと判別すると、マウス８内の各モジュールへの電力供給を開始する。このときのマウス８の動作モードのことを通常動作モードと称す（第１の動作モード）。通常動作モード時のマウス８の消費電力量は省電力モード時のマウス８の消費電力量よりも大きい。
【００５７】
さらに、マイコン８０は、マウス８の動作モードが通常動作モードであることを示すために、レジスタ８０ａ内に立てられているマウス８の動作モードが省電力モードであることを示すフラグをリセットする。次に、マウス８の動作モードの省電力モードから通常動作モードへの移行時に行われるマウス８およびコンピュータ１にて行われる動作について説明する。
【００５８】
図４は、マウス８の動作モードの省電力モードから通常動作モードへの移行時に行われるマウス８およびコンピュータ１にて行われる動作の一例を説明する流れ図である。
【００５９】
動作モードが省電力モードであるマウス８が動かされると、マイコン８０は加速度センサ８１によって検出される加速度値を取得し、マウス８が動かされたと判別する（ステップ  Ｓ１００）。
【００６０】
マイコン８０は、マウス８の動作モードが省電力モードであることを示すフラグがレジスタ８０ａに立てられていることを確認する（ステップ  Ｓ１０１）。マイコン８０はフラグが立てられていることを確認後、レジスタ８０ａに立てられているフラグをリセットする（ステップ  Ｓ１０２）。
【００６１】
マイコン８０はマウス８内の各モジュールへの電力供給を開始する（ステップ  Ｓ１０３）。
【００６２】
マイコン８０は無線通信部８２を制御することで、コンピュータ１との無線通信を開始する（ステップ  Ｓ１０４）。ここで、マウス８内の無線通信部８２とコンピュータ１内の無線デバイス３２との間で既にコネクションが確立されているのならば、マウス８は改めてコネクションを確立せずに、コンピュータ１へのデータ送信等を開始する。一方、マウス８内の無線通信部８２とコンピュータ１内の無線デバイス３２との間でコネクションが確立されていないならば、マウス８内の無線通信部８２とコンピュータ１内の無線デバイス３２との間でコネクションを確立させる。マウス８とコンピュータ１との間で無線通信を行うために必要なコネクションが確立されると、マウス８はコンピュータ１へのデータ送信等を開始する。
【００６３】
マイコン８０は無線通信部８２を制御することで、コンピュータ１に「マウス８の動作モードが通常動作モードである」ということを示すデータを送信する（ステップ  Ｓ１０５）。コンピュータ１はマウス８から送信されたマウス８の動作モード情報を受信し、マウス８の動作モードを認識する（ステップ  S１０６）。
【００６４】
このように、マウス８の動作モードが省電力モードから通常動作モードに移行すると、マウス８とコンピュータ１とが無線通信を開始し、マウス８がコンピュータ１にマウス８の動作モードが通常動作モードあることを示す情報を送信することで、コンピュータ１はマウス８の動作モードが通常動作モードであることを認識することが可能となる。従って、コンピュータ１はマウス８が省電力モードから通常動作モードに移行したことを認識することが可能となる。次に、マウス８の動作モードの通常動作モードから省電力モードへの移行時に行われるマウス８およびコンピュータ１にて行われる動作について説明する。
【００６５】
図５は、マウス８の動作モードの通常動作モードから省電力モードへの移行時に行われるマウス８およびコンピュータ１にて行われる動作の一例を説明する流れ図である。
【００６６】
動作モードが通常動作モードであるマウス８が所定の期間に亘って動かされない場合、マイコン８０は加速度センサ８１によって検出される加速度値を取得しないことで、マウス８は動かされていないと判別する（ステップ  Ｓ２００）。
【００６７】
マイコン８０は、レジスタ８０ａにフラグが立てられていないことを確認することで、マウス８の動作モードが通常動作モードであることを確認する（ステップ  Ｓ２０１）。マイコン８０はフラグが立てられていないことを確認後、レジスタ８０ａにフラグを立てる（ステップ  Ｓ２０２）。
【００６８】
マウス８の動作モードが省電力モードになると、マイコン８０は無線通信部８２を制御することで、コンピュータ１に「マウス８の動作モードが省電力モードである」ということを示すデータを送信する（ステップ  Ｓ２０３）。
【００６９】
マイコン８０はマウス８内の各モジュールの中で電力を要しないモジュールへの電力供給を停止させる（ステップ  Ｓ２０４）。
【００７０】
マイコン８０は、マイコン８０は無線通信部８２の制御によるコンピュータ１との無線通信を停止する（ステップ  Ｓ２０５）。ここで、マウス８内の無線通信部８２とコンピュータ１内の無線デバイス３２との間で確立されているコネクションを遮断してもよいし、確立したままでもよい。
【００７１】
コンピュータ１は、ステップＳ２０３にてマウス８から送信されたマウス８の動作モード情報を受信し、マウス８の動作モードを認識する（ステップ  Ｓ２０６）。
【００７２】
このように、マウス８の動作モードが通常動作モードから省電力モードに移行すると、マウス８がコンピュータ１にマウス８の動作モードが省電力モードあることを示す情報を送信することで、コンピュータ１はマウス８の動作モードが省電力モードであることを認識することが可能となる。従って、コンピュータ１はマウス８が通常動作モードから省電力モードに移行したことを認識することが可能となる。なお、コンピュータ１はマウス８から送信されるデータが所定の時間に亘って送信されないことを検知すると、マウス８の動作モードが省電力モードであると認識する構成であってもよい。
【００７３】
また、本発明はマウス８以外の電子機器にも適用することが可能である。例えば、コンピュータ１と無線通信可能なワイヤレスヘッドセット等に本発明を適用してもよい。
【００７４】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００７５】
【図１】ノートブック型パーソナルコンピュータとマウスとの関係を示す斜視図。
【図２】コンピュータの構成の一例を示す図。
【図３】マウスのハードウェア構成の一例について説明する図。
【図４】マウスの動作モードの省電力モードから通常動作モードへの移行時に行われるマウスおよびコンピュータにて行われる動作の一例を説明する流れ図。
【図５】マウスの動作モードの通常動作モードから省電力モードへの移行時に行われるマウスおよびコンピュータにて行われる動作の一例を説明する流れ図。
【符号の説明】
【００７６】
１…コンピュータ、２…本体、３…表示ユニット、４…ＬＣＤ、
５…キーボード、６…パワーボタン、７…ＡＣアダプタ、８…マウス、
１０…ＣＰＵ、２８…ＥＣ／ＫＢＣ、３２…無線デバイス、
８０…マイコン、８１…加速度センサ、８２…無線通信部、
８３…操作検出部、８４…電源部
【図１】
2007102370.tif 000003
【図２】
2007102370.tif 000004
【図３】
2007102370.tif 000005
【図４】
2007102370.tif 000006
【図５】
2007102370.tif 000007